(57)【要約】  本発明のある実施形態において、電力線通信用ブリッジ回路は、第一及び第二の電力線回路とそれぞれつないでデータ信号をやり取りする第一、第二のカプラを有している。両電力線回路は配電変圧器の別々の端子から交流電力の供給を受け、１本の中性線接続を共有する。第一のカプラには第一の送受信装置、第二のカプラには第二の送受信装置が接続される。コントローラは、第一の送受信装置からのデータ信号を分析し、第二の送受信装置に送るべきかを判定する。ここで送るべきでないと判定されるデータは、ローカルデータと見なされる。さらに、コントローラは、第二の送受信装置からのデータ信号についても同様の判定を行う。ブリッジ回路は、データがローカルでない場合は第一、第二の送受信装置の間でデータ信号を通過させ、データがローカルである場合は第一、第二の送受信装置の間でデータ信号を遮断する。【選択図】図１
2008529355.tif 000002
【特許請求の範囲】
【請求項１】
電力線通信用ブリッジ回路であって：
第一の電力線回路をつないでデータ信号をやり取りする第一のカプラと；
第二の電力線回路をつないでデータ信号をやり取りする第二のカプラと；
前記第一の電力線回路及び前記第二の電力線回路は、配電変圧器の別々の端子から交流電力の供給を受け、１本の中性線との接続を共有することと；
前記第一のカプラと接続してデータ信号のやり取りを行う第一の送受信装置と；
前記第二のカプラと接続してデータ信号のやり取りを行う第二の送受信装置と；
前記第一の送受信装置からのデータ信号を分析して、前記データ信号が前記第二の送受信装置に送られるべきものかどうかを判定し、前記第二の送受信装置に送られるべきでないと判定した前記データをローカルデータと見なすコントローラと；
前記コントローラはさらに、前記第二の送受信装置からのデータ信号を分析して、前記データ信号が前記第一の送受信装置に送られるべきものかどうかを判定し、前記第一の送受信装置に送られるべきでないと判定したデータをローカルデータと見なすことと；
前記データがローカルでないと判定された場合には前記第一の送受信装置と前記第二の送受信装置の間で前記データ信号を通過させ、前記データがローカルであると判定された場合には前記第一の送受信装置と前記第二の送受信装置の間でデータ信号を遮断するというブリッジ手段と；
を含む電力線通信用ブリッジ回路。
【請求項２】
データ信号を通過させる前記ブリッジ手段は、前記第一の送受信装置及び前記第二の送受信装置により共有される内部バスを有し、前記内部バスはコントローラによって制御されることを特徴とする、請求項１に記載の電力線通信用ブリッジ回路。
【請求項３】
前記第一の送受信装置及び前記第二の送受信装置は、直交周波数分割多重方式を構成する送受信装置であることを特徴とする、請求項１に記載の電力線通信用ブリッジ回路。
【請求項４】
前記第一の送受信装置及び前記第二の送受信装置は、ＨｏｍｅＰｌｕｇ（登録商標）の標準規格に準拠した送受信装置であることを特徴とする、請求項１に記載の電力線通信用ブリッジ回路。
【請求項５】
利用可能なタイムスロットと利用可能な周波数のうち少なくとも１つを、前記第一の送受信装置及び前記第二の送受信装置の間で前記データ信号を通過させるためにプロセッサによって識別することを特徴とする、請求項１に記載の電力線通信用ブリッジ回路。
【請求項６】
さらにビーコン信号を生成するビーコン生成器を有し、前記ビーコン信号は前記第一の電力線回路及び前記第二の電力線回路へ送信され、その電力線上の通信が電力線通信ネットワーク上のマスタとして機能することを特徴とする、請求項５に記載の電力線通信用ブリッジ回路。
【請求項７】
さらにビーコン信号を生成するビーコン生成器を有し、前記ビーコン信号は前記第一の電力線回路及び前記第二の電力線回路へ送信され、それにより電力線通信ネットワーク上のマスタとして機能することを特徴とする、請求項１に記載の電力線通信用ブリッジ回路。
【請求項８】
前記コントローラは、前記データがローカルデータかどうかを機器テーブルを照会して判定することを特徴とする、請求項１に記載の電力線通信用ブリッジ回路。
【請求項９】
さらに電力線通信で用いる周波数について、前記第一の電力線回路と前記第二の電力線回路を互いに遮断するフィルタを有する請求項１に記載の電力線通信用ブリッジ回路。
【請求項１０】
電力線通信用ブリッジ回路であって：
第一の電力線回路をつないでデータ信号をやり取りする第一のカプラと；
第二の電力線回路をつないでデータ信号をやり取りする第二のカプラと；
前記第一の電力線回路及び前記第二の電力線回路は、配電変圧器の別々の端子から交流電力の供給を受け、１本の中性線との接続を共有することと；
前記第一のカプラと接続してデータ信号のやり取りを行う第一の送受信装置と；
前記第二のカプラと接続してデータ信号のやり取りを行う第二の送受信装置と；
前記第一の送受信装置及び前記第二の送受信装置は、ＨｏｍｅＰｌｕｇの標準規格に準拠した送受信装置であることと；
前記第一の送受信装置からのデータ信号を分析して、前記データ信号が前記第二の送受信装置に送られるべきものかどうかを判定し、前記第二の送受信装置に送られるべきでないと判定した前記データをローカルデータと見なすコントローラと；
前記コントローラはさらに、前記第二の送受信装置からのデータ信号を分析して、前記データ信号が前記第一の送受信装置に送られるべきものかどうかを判定し、前記第一の送受信装置に送られるべきでないと判定したデータをローカルデータと見なすことと；
前記第一の送受信装置及び前記第二の送受信装置により共有される内部バスを有し、前記内部バスはコントローラによって制御されることと；
前記コントローラはさらに、前記データはローカルでないと判定した場合には、前記データ信号に前記第一の送受信装置と前記第二の送受信装置の間の共有バスを通過させ、機器テーブルを照会して前記データはローカルであると判定した場合には、前記第一の送受信装置と前記第二の送受信装置の間でデータ信号を遮断することと；
利用可能なタイムスロットと利用可能な周波数のうち少なくとも１つを、前記第一の送受信装置及び前記第二の送受信装置の間で前記データ信号を通過させるためにプロセッサによって識別することと；
前記プロセッサは、ビーコン信号を生成することを特徴とし、前記ビーコン信号は前記第一の電力線回路及び前記第二の電力線回路へ送信され、それにより電力線通信用ブリッジ回路が電力線通信ネットワーク上のマスタとして機能することと；
電力線通信で用いる周波数について、前記第一の電力線回路と前記第二の電力線回路を互いに遮断するフィルタと；
を含む電力線通信用ブリッジ回路。
【請求項１１】
電力線通信用ブリッジ回路であって：
第一の電力線回路をつないでデータ信号をやり取りする第一のカプラと；
第二の電力線回路をつないでデータ信号をやり取りする第二のカプラと；
前記第一の電力線回路及び前記第二の電力線回路は、第一の配電変圧器及び第二の配電変圧器から交流電力の供給を受けることと；
前記第一のカプラと接続してデータ信号のやり取りを行う第一の送受信装置と；
前記第二のカプラと接続してデータ信号のやり取りを行う第二の送受信装置と；
前記第一の送受信装置からのデータ信号を分析して、前記データ信号が前記第二の送受信装置に送られるべきものかどうかを判定し、前記第二の送受信装置に送られるべきでないと判定した前記データをローカルデータと見なすコントローラと；
前記コントローラはさらに、前記第二の送受信装置からのデータ信号を分析して、前記データ信号が前記第一の送受信装置に送られるべきものかどうかを判定し、前記第一の送受信装置に送られるべきでないと判定したデータをローカルデータと見なすことと；
前記データがローカルでないと判定された場合には前記第一の送受信装置と前記第二の送受信装置の間で前記データ信号を通過させ、前記データがローカルであると判定された場合には前記第一の送受信装置と前記第二の送受信装置の間でデータ信号を遮断するというブリッジ手段と；
を含む電力線通信用ブリッジ回路。
【請求項１２】
データ信号を通過させる前記手段は、前記第一の送受信装置及び前記第二の送受信装置により共有される内部バスを有し、前記内部バスはコントローラによって制御されることを特徴とする、請求項１１に記載の電力線通信用ブリッジ回路。
【請求項１３】
データ信号を通過させる前記手段は、無線ネットワーク接続を構成することを特徴とする、請求項１１に記載の電力線通信用ブリッジ回路。
【請求項１４】
前記第一の送受信装置及び前記第二の送受信装置は、直交周波数分割多重方式を構成する送受信装置であることを特徴とする、請求項１１に記載の電力線通信用ブリッジ回路。
【請求項１５】
前記第一の送受信装置及び前記第二の送受信装置は、ＨｏｍｅＰｌｕｇの標準規格に準拠した送受信装置であることを特徴とする、請求項１１に記載の電力線通信用ブリッジ回路。
【請求項１６】
利用可能なタイムスロットと利用可能な周波数のうち少なくとも１つを、前記第一の送受信装置及び前記第二の送受信装置の間で前記データ信号を通過させるためにプロセッサによって識別することを特徴とする、請求項１１に記載の電力線通信用ブリッジ回路。
【請求項１７】
さらにビーコン信号を生成するビーコン生成器を有し、前記ビーコン信号は前記第一の電力線回路及び前記第二の電力線回路へ送信され、それにより電力線通信ネットワーク上のマスタとして機能することを特徴とする、請求項１６に記載の電力線通信用ブリッジ回路。
【請求項１８】
さらにビーコン信号を生成するビーコン生成器を有し、前記ビーコン信号は前記第一の電力線回路及び前記第二の電力線回路へ送信され、その電力線上の通信が電力線通信ネットワーク上のマスタとして機能することを特徴とする、請求項１１に記載の電力線通信用ブリッジ回路。
【請求項１９】
前記コントローラは、前記データがローカルデータかどうかを機器テーブルを照会して判定することを特徴とする、請求項１１に記載の電力線通信用ブリッジ回路。
【請求項２０】
さらに電力線通信で用いる周波数について、前記第一の電力線回路と前記第二の電力線回路を互いに遮断するフィルタを有する請求項１１に記載の電力線通信用ブリッジ回路。
【請求項２１】
電力線通信用ブリッジ方法であって：
第一の電力線回路と第二の電力線回路からのデータ受信を行い、前記第一の電力線回路と前記第二の電力線回路は、配電変圧器の別々の端子から交流電力を供給され、１本の中性線接続を共有し；
第一の電力線回路からのデータ信号を検査して第二の電力線回路へ送るべきかを判定し、第二の電力線回路へ送るべきでないデータはローカルデータと見なし；
第二の電力線回路からのデータ信号を検査して第一の電力線回路へ送るべきかを判定し、第一の電力線回路へ送るべきでないデータはローカルデータと見なし；
データがローカルでないと判定された場合には、第一の電力線回路と第二の電力線回路の間でデータ信号を通過させ；
データがローカルであると判定された場合には、第一の電力線回路と第二の電力線回路の間でデータ信号を遮断する；
というステップを含む電力線通信用ブリッジ方法。
【請求項２２】
前記データ信号は、前記第一の送受信装置及び前記第二の送受信装置により共有される内部バスを通過することを特徴とする、請求項２１に記載の電力線通信方法。
【請求項２３】
前記データ信号は、直交周波数分割多重方式による送受信装置を構成することを特徴とする、請求項２１に記載の電力線通信方法。
【請求項２４】
前記データ信号は、ＨｏｍｅＰｌｕｇの標準規格に準拠したデータ信号であることを特徴とする、請求項２１に記載の電力線通信方法。
【請求項２５】
さらに利用可能なタイムスロットと利用可能な周波数のうち少なくとも１つを、前記第一の送受信装置及び前記第二の送受信装置の間で前記データ信号を通過させる際に識別することを特徴とする、請求項２１に記載の電力線通信方法。
【請求項２６】
さらにビーコン信号を生成し、前記ビーコン信号は前記第一の電力線回路及び前記第二の電力線回路へ送信されることを特徴とする、請求項２１に記載の電力線通信方法。
【請求項２７】
前記データのローカルデータかどうかの判定は、機器テーブルを照会することによって行われることを特徴とする、請求項２１に記載の電力線通信方法。
【請求項２８】
コンピュータによって読取り可能な記憶媒体であって、プログラムドプロセッサ上で起動された際に、請求項２１に記載のプロセスを実行する命令を保存する記憶媒体。
【請求項２９】
電力線通信用ブリッジ方法であって：
第一の電力線回路と第二の電力線回路からのデータ受信を行い、前記第一の電力線回路と前記第二の電力線回路は、別々の配電変圧器から交流電力を供給され；
第一の電力線回路からのデータ信号を判定して第二の電力線回路へ送るべきかを判定し、第二の電力線回路へ送るべきでないデータはローカルデータと見なし；
第二の電力線回路からのデータ信号を判定して第一の電力線回路へ送るべきかを判定し、第一の電力線回路へ送るべきでないデータはローカルデータと見なし；
データがローカルでないと判定された場合には、第一の電力線回路と第二の電力線回路の間でデータ信号を通過させ；
データがローカルであると判定された場合には、第一の電力線回路と第二の電力線回路の間でデータ信号を遮断する；
というステップを含む電力線通信用ブリッジ方法。
【請求項３０】
前記データ信号は、前記第一の送受信装置及び前記第二の送受信装置により共有される内部バスを通過することを特徴とする、請求項２９に記載の電力線通信方法。
【請求項３１】
前記データ信号は、無線ネットワーク接続を介して送受信されることを特徴とする、請求項２９に記載の電力線通信方法。
【請求項３２】
前記データ信号は、直交周波数分割多重方式による送受信装置を構成することを特徴とする、請求項２９に記載の電力線通信方法。
【請求項３３】
前記データ信号は、ＨｏｍｅＰｌｕｇの標準規格に準拠したデータ信号であることを特徴とする、請求項２９に記載の電力線通信方法。
【請求項３４】
さらに利用可能なタイムスロットと利用可能な周波数のうち少なくとも１つを、前記第一の送受信装置及び前記第二の送受信装置の間で前記データ信号を通過させる際に識別することを特徴とする、請求項２９に記載の電力線通信方法。
【請求項３５】
さらにビーコン信号を生成し、前記ビーコン信号は前記第一の電力線回路及び前記第二の電力線回路へ送信されることを特徴とする、請求項２９に記載の電力線通信方法。
【請求項３６】
前記データのローカルデータかどうかの判定は、機器テーブルを照会することによって行われることを特徴とする、請求項２９に記載の電力線通信方法。
【請求項３７】
コンピュータによって読取り可能な記憶媒体であって、プログラムドプロセッサ上で起動された際に、請求項２９に記載のプロセスを実行する命令を保存する記憶媒体。
【発明の詳細な説明】
【関連文書への参照】
【０００１】
本出願は、２００５年１月２１日に出願された米国特許仮出願第６０／６４５９００号に関連し、同出願を参照として本明細書に引用する。
【著作権表示】
【０００２】
本特許文献による開示の一部には、著作権保護の対象となる部分が含まれる。著作権者は、特許商標局による特許ファイルまたは記録としての特許文書または特許の開示の複製の場合を除き、著作権に関する全ての権利を留保する。
【背景技術】
【０００３】
家庭の電力線は、通常、配電変圧器から各家庭に電力を送る方法として、第一、第二の電力線（“ｈｏｔ”  ｌｉｎｅ：Ｌ１、Ｌ２）と中性線（Ｎｅｕｔｒａｌ）を有する単相３線式システムを用いている。通常、複数の家庭は１つの配電変圧器を共用している。また、電力線Ｌ１、Ｌ２（ｐｏｗｅｒ  ｌｉｎｅ）は、標準的な場合、配電変圧器を介してつながれている（かつ、通常、近隣の家庭の電力線Ｌ１、Ｌ２ともつながれている）。電力線通信（ＰＬＣ）ネットワークは、コンピュータネットワーク（または、オーディオ機器やビデオ機器といった他の電化製品との間のネットワーク）を構築するために、既存の電力線を活用する。その１つの例として、ＨｏｍｅＰｌｕｇ規格を利用したネットワークが、電力線通信を実現するために用いられている。こういったネットワークは既存の電源コンセントを用いて機器間を相互接続するため、電力線を流れる情報が、家の外から電力線に侵入した近隣者または他人によりアクセスされる可能性を有している。これに対し、もし外部へデータが流出することを防ぐフィルタを取り付けた場合、電力線Ｌ１とＬ２が互いに孤立する可能性がある。
【０００４】
電力線Ｌ１とＬ２の間のグローバル通信の場合、信号は長距離を伝送されて減衰する可能性がある。グローバル通信における減衰はしばしば無視できる程度であるが、無視できない場合もあり、そのために高い送信電力が求められることになり、結果として他の電化製品との干渉を生じ得ることとなる。
【０００５】
以下に記述する発明の詳細な説明及び添付する図面を参照することで、実施の構成及び方法、並びに目的及び効果に関する説明に役立つ所定の実施形態は、最もよく理解されるであろう。
【０００６】
本発明は異なる複数の実施形態をとることができる一方、図面及び明細書等において、ある実施形態について詳細に記述しているが、実施形態として開示した内容は本発明の原理を具体化した一例であって、発明の範囲をある実施形態のみに限定するものと理解すべきではない。後の記載内容において、参照用の数字は、複数の図面において指し示した図面内の一部分と同一、同様または対応関係にある。
【０００７】
ここで用いられている単数の要素は、“１つまたはより多くの”を意味する。また、“複数の”という用語は、“２つまたは２つより多くの”を意味する。“別の”という用語は、“少なくとも別の１つ、またはそれ以上”を意味する。“含む”、“有する”という用語は、他の構成要素をも含み得ることを意味する。“つなぐ”という用語は、“接続する”という意味であるが、これは必ずしも直接的な接続や機械的な接続のみを意味するものではない。“プログラム”、“コンピュータプログラム”またはそれに類する用語は、何らかのアプリケーション、アプレット、サーブレット、ソースコード、オブジェクトコード、共有ライブラリ、動的にロードされるライブラリまたは他のコンピュータシステム上で実行される命令のシーケンスにおける、サブルーチン、ファンクション、プロシージャ、オブジェクトメソッドまたはオブジェクトの実装を含んでよい。
【０００８】
本文書における“ある実施形態”、“何らかの実施形態”、“ある実施形態”またはそれに類する用語への言及は、その実施形態について説明した個別の特徴、構造または特性が、本発明の少なくともある実施形態に含まれることを意味するものである。したがって、そうした語句の記載があったとしても、本明細書の様々な箇所を通して、常に同一の実施形態について述べているわけではない。さらに、そうした個別の特徴、構造または特性は、１つまたはより多くの実施形態において、特に制限なく何らかの適当な方法で組み合わせることができる。
【０００９】
ここで用いられている“または”という用語は、任意の１つ、任意の組み合わせまたは全てのいずれかを意味する。それ故、“Ａ、ＢまたはＣ”は“Ａ、Ｂ、Ｃ、ＡとＢ、ＡとＣ、ＢとＣ、ＡとＢとＣのいずれか”を意味する。この定義の例外は、要素、機能、ステップまたは実行の組み合わせが本質的に相互排他的な何らかの場合にのみ現れる。
【００１０】
前述した通り、家庭の電力線は、通常、単相３線式システムを用いている。図１は、Ｌ１、Ｌ２と中性線（それぞれ要素２、４、３に対応）が、配電変圧器１から各家庭に電力を送る様子を示している。本文書の範囲において、Ｌ１の各記載例、Ｌ２の各記載例は共に交流電圧１２０Ｖの回路または単純回路とし、Ｌ１とＬ２の間で交流電圧２４０Ｖが得られるものとする。通常、複数の家庭は配電変圧器１を共用する。コンポーネント８〜１０は電力線ネットワーク機器であり、例えばサーバやクライアント機器に該当する。コンポーネント１１と１２は負荷であり、例えば室内暖房機や照明具に該当する。機器８が機器１０にデータを伝送する場合、データはＬ１を通って送信されるが、これはローカル通信となるため、通信は直ちに完了する。一方、機器８が機器９にデータを伝送する場合は、データは配電変圧器１を通る経路（Ｌ１→Ｌ２）で宛先に届く（または、いくつかの例においては、ブレーカボード（ｂｒｅａｋｅｒ  ｂｏａｒｄ）におけるクロストーク、若しくは電力線Ｌ１とＬ２間の２４０ボルトの負荷を表す電化製品を経由する。）。これはグローバル（または相互位相）通信と呼ばれる。この場合、信号が長距離を流れて減衰する可能性がある。減衰は一般的には無視することができず、最大の送信電力がＦＣＣ（米連邦通信委員会の略。）の規定により制限されている。多くの例において、グローバル通信はローカル通信（同相通信）の帯域幅の７０から８０％の割合を占める。また別の問題として、電力線Ｌ１とＬ２は切離されていたとしても、帯域内における時間または周波数を共用しなければならない。それは例えば、電力線Ｌ２上の機器９は、電力線Ｌ１上の機器８と機器１０がローカル通信を行っている間は、電力線ネットワークを利用できないことを意味する。これは帯域利用の観点から効率的ではない。本発明のある実施形態によれば、これらの問題及び他の問題を解決することが可能である。
【発明の開示】
【００１１】
本発明のある実施形態においては、低域通過フィルタ６及びブリッジ機器７を利用している。前記低域通過フィルタ６（遮断フィルタ）は、例えば、１００ｋＨｚ以下の周波数成分を持つ信号を通過させる。電力線ネットワークは、一般的には、１００ｋＨｚ以上の高周波信号を利用するため、電力線ネットワークが利用するこれらの信号は、低域通過フィルタ６の外にあるブレーカボード５及び配電変圧器１に向けて流れることなく遮断される。このようなフィルタ６は、電力線のすべての信号を遮断するように設計されるべきであり、それにより家庭の外に向けて出て行く信号が無くなるのである。また、セキュリティ向上の観点からの補足事項として、この実施形態は、他の電子機器との干渉を引き起こす可能性のある信号の発散を最小化することにも役立つ。さらに、フィルタ６には、家庭内のネットワークに入ってくる好ましくない信号を防ぐ効果もあり、それにより、近隣のネットワークが図１に示したネットワークに対して干渉を引き起こすことが回避される。フィルタ６によって、家庭内の電力線は完全に外部から隔離されることになる。適切な遮断フィルタは市場において購入可能であり、例えば、アイルランドのダブリンにあるＰｏｗｅｒＰｌｕｓ社の製品などが挙げられる。
【００１２】
ブリッジ機器７は、電力線Ｌ１とＬ２を隔離するために用意されている。ブリッジ７は、例えば機器８から機器１０に向けたＬ１上のローカル通信の伝送情報を受け取った場合は、その伝送情報をＬ２には転送しない。ブリッジ７は、例えばＬ１からＬ２またはＬ２からＬ１といったグローバル通信の伝送情報を受け取った場合にのみ、別の電力線に向けてその伝送情報を転送する。ブリッジ７は、内部的には、機器テーブルを有し、それを用いてどの機器がＬ１とＬ２のどちらに接続されているのかを管理する。ブリッジ７は、機器テーブルに基づき、別の電力線への送信の可否を決定するのである。Ｌ１とＬ２は互いに隔離されているため、これによりネットワークの帯域幅は、論理的には合計で本明細書において開示したブリッジを用いないネットワークの２倍に到達すると言ってよい。実用試験によれば、少なくとも４０〜５０％の帯域幅の向上を達成できると見込まれている。（最良の条件は、グローバルの伝送情報が無い場合である。その場合に、Ｌ１とＬ２のそれぞれのネットワークの帯域幅全体が利用可能となる。）
【００１３】
ブリッジ７の例を図６にブロック図形式で示しており、これについては後述する。ブリッジ７の動作は、図２において、データの受信判定の後の状態３０を出発点として説明している。もしデータを受信していなければ、ブリッジ７はデータの受信を引き続き待ち受ける。条件分岐３４においてデータを受信していれば、ブリッジは、処理３８において機器テーブルにデータの宛先を照会する。そして、条件分岐４２において宛先がローカルであれば、何も処理は行われず、プロセスは条件分岐３４に戻る。一方、条件分岐４２において宛先が発信元と同じ回路上に無ければ（つまりローカルでなく、相互位相通信であれば）、処理４６にて、ブリッジ７は宛先の回路上で利用可能なタイムスロット（またはキャリア周波数、若しくは変調方式に依存する他のパラメータ）を特定し、処理５０にて宛先の回路に受信データを伝送する。
【００１４】
次に、図３は、本発明に係るブリッジの配置を用いた回路間の隔離について、タイミング図を用いて表している。同図においては、別々のビーコン（Ｂｅａｃｏｎ）のセットである１０１ａと１０２ａが回路Ｌ１にて使用され、ビーコン１０１ｂと１０２ｂが回路Ｌ２にて使用されている。Ｌ１上のデータ１１０ａは、相互位相通信として、利用可能なタイムスロットの中でＬ２上の１１０ｂに伝送される。同様に、データ１１２ａは、利用可能なタイムスロットの中で１１２ｂに伝送される。（図示したビーコンは、交流電力線のサイクルに同期しており、通常は５０Ｈｚまたは６０Ｈｚである。また、後述する他の方式で扱われる場合もある。）１１１及び１１３で示したローカル通信のトラフィックは、ビーコンと同様に隔離されたままである。後述する通りビーコン同士は完全に独立しているため、この図においてビーコンはほぼ同期して描かれているが、これを限定事項と考えるべきではない。このタイミング図については、後ほどさらに詳細に説明する。
【００１５】
企業における電力線の配線や大規模な家庭内での配線、配電変圧器を複合的に配置した設備などにおいては、大部分の家庭における場合よりも一層複雑である。そういった環境下では、内部のコンセントは常に同じ電力線の回路上にある訳ではなく、異なる配電変圧器を介して電力が供給されているかも知れない。そのため、そういったコンセントの間では、一般的に利用可能な電力線ネットワークは存在しない。
【００１６】
ある実施形態におけるブリッジの配置は、独立した電力線同士を連結する用途に用いられる。図４は、電力線ネットワークの導入を望む企業内の電力線の配線（または複数の配電変圧器で１つの設備に電力を供給する別のシステム）を表している。同図には、２つの配電変圧器が描かれている。変圧器２０１は、電力線２０２と２０４及び中性線２０３を備えている。電力は、ブレーカボード２０５と低域通過フィルタ２０６を、図１に示したのと同じ方式で通過する。コンポーネント２０８、２０９及び２１０はネットワークのノードを表し、コンポーネント２１１及び２１２は電力線回路上の他の負荷を表す。変圧器３０１は、電力線３０２と３０４及び中性線３０３を備えている。電力は、ブレーカボード３０５と低域通過フィルタ３０６を、図１に示したのと同じ方式で通過する。コンポーネント３０８、３０９及び３１０はネットワークのノードを表し、コンポーネント３１１及び３１２は電力線回路上の他の負荷を表す。ブリッジ２０７は、２つの電力線のセットを繋いでいる。ブリッジ２０７は、２つまたはそれ以上の電力線の間で、グローバル通信のみを転送する。そのため、それぞれの電力線の帯域幅は、効率的に用いられ得ることになる。このブリッジ機能は、図６に示した通り有線接続によって実現することもできるが、無線接続を利用して同じブリッジ機能としての効果の一部を得ることもできる。
【００１７】
従って、本発明のある実施形態における電力線通信用ブリッジ回路は、第一の電力線回路をつないでデータ信号をやり取りするための第一のカプラ（ｃｏｕｐｌｅｒ）と、第二の電力線回路をつないでデータ信号をやり取りするための第二のカプラを有している。第一、第二の電力線回路は、第一、第二の配電変圧器から交流電力を供給される。また、第一の送受信装置（ｃｏｍｍｕｎｉｃａｔｉｏｎ  ｔｒａｎｓｃｅｉｖｅｒ）が、第一のカプラとのデータ信号のやり取りのために第一のカプラに接続される。第二の送受信装置は、第二のカプラとのデータ信号のやり取りのために第二のカプラに接続される。コントローラは、第一の送受信装置からのデータ信号を分析し、前記データ信号が第二の送受信装置に送られるべきものかどうかを判定する。ここで第二の送受信装置に送られるべきでないと判定されるデータは、ローカルデータと見なされる。さらに、コントローラは、第二の送受信装置からのデータ信号を分析し、前記データ信号が第一の送受信装置に送られるべきかどうかを判定する。ここで第一の送受信装置に送られるべきものでないと判定されるデータも、ローカルデータと見なされる。ブリッジ回路は、データがローカルでないと判定された場合には第一の送受信装置と第二の送受信装置の間でデータ信号を通過させ、データがローカルであると判定された場合には第一の送受信装置と第二の送受信装置の間でデータ信号を遮断する。
【００１８】
ある実施形態において、電力線通信のブリッジ方法は、第一の電力線回路と第二の電力線回路からのデータ受信を行い、第一と第二の電力線回路へ配電変圧器の別々の端子（ｓｅｐａｒａｔｅ  ｌｅｇｓ）から交流電力を供給し、１本の中性線接続を共有し、第一の電力線回路からのデータ信号を判定して第二の電力線回路へ送るべきかを判定し、第二の電力線回路へ送るべきでないデータはローカルデータと見なし、第二の電力線回路からのデータ信号を判定して第一の電力線回路へ送るべきかを判定し、第一の電力線回路へ送るべきでないデータはローカルデータと見なし、データがローカルでないと判定された場合には第一の送受信装置と第二の送受信装置の間でデータ信号を通過させ、データがローカルであると判定された場合には第一の送受信装置と第二の送受信装置の間でデータ信号を遮断する処理を含む。
【００１９】
図５に関して、一部の企業は、電力線を通信媒体として用いることにより、インターネットアクセスサービスを提供することを計画している。同図では、変圧器４０１は、電力線４０２と４０４及び中性線４０３を備えている。電力は、ブレーカボード４０５と低域通過フィルタ４０６を、図１に示したのと同じ方式で通過する。コンポーネント４０８、４０９及び４１０はネットワークのノードを表し、コンポーネント４１１及び４１２は電力線回路上の他の負荷を表す。この実施形態においては、ブリッジ４０７は、２つの電力線のセットを繋ぎ、２つまたはそれ以上の電力線の間でグローバル通信を転送し、さらに、インターネットアクセスを実現するために、フィルタ４０６の前後でインターネットとの間の通信を通過させる。
【００２０】
この場合、配電変圧器４０１は、電力線の信号を通過させない。ジャンパ４２０が変圧器に取り付けられ、それにより変圧器を飛び越えてインターネットのトラフィックの通信が許されることになる。また、ブリッジ４０７は、内部の電力線Ｌ１´とＬ２´を接続するだけでなく、外部から引き込まれる電力線Ｌ１とＬ２をも接続する。ブリッジ４０７は、Ｌ１とＬ１´、Ｌ２とＬ２´を要求に応じて接続させる。この応用例では、ブリッジ４０７は、例えばルータのようなさらなる高度性を有してもよい。ルータは、さらに家庭内の電力線ネットワークを外部からの様々な攻撃から守るファイアウォールの役割を果たすこともできる。
【００２１】
図６は、ブリッジ７のブロック図の一例を示している。当業者であれば、どのようにしてより多くの回路を組み込むために回路を適当な形に変更するべきか、理解するであろう（図４、図５の通り）。そして、当業者によれば、本発明における原理を他の電力線ネットワークの配置に応じて適用させることができるため、この実施形態の例はＨｏｍｅＰｌｕｇ規格またはそれと同等の規格に準拠した電力線通信ネットワークと仮定されるものの、これを限定事項と見なすべきではない。電力線Ｌ１からの信号は、カプラ５０１を通して、アナログの先端部（ＡＦＥ）５０２に送信される。カプラ５０１は、線上の１２０Ｖの交流電圧を遮断し、電力線ネットワーク通信の信号のみを通過させる。ＡＦＥ５０２からの出力はＡＤ変換器（Ａ／Ｄ）５０３によってアナログ信号からデジタル信号へ変換される。そして、変換後の信号は物理層のブロック（ＰＨＹ）５０５とＭＡＣ層のブロック（ＭＡＣ）５０６によって処理される。
【００２２】
信号が電力線Ｌ１に送信される場合、信号は前記とは逆の方向で処理される。信号はまずＭＡＣ５０６とＰＨＹ５０５にて処理される。その処理結果はＤＡ変換器（Ｄ／Ａ）５０４にてデジタル信号からアナログ信号に変換され、ＡＦＥ５０２とカプラ５０１に送信される。コンポーネント５１０、５１１、５１２、５１３、５１４及び５１５は、電力線Ｌ２上の信号を対象とし、電力線Ｌ１上のコンポーネント５０１〜５０６の処理と同じように処理をする。ＣＰＵ５０８は、ＰＨＹ５０５、ＰＨＹ５１４、ＭＡＣ５０６及びＭＡＣ５１５を、内部バス５０７を介して制御する。内部バス５１７は、例えばＰＣＩバスとすることができる。ＣＰＵ５０８は、ＲＯＭ（Ｒｅａｄ  Ｏｎｌｙ  Ｍｅｍｏｒｙ）５０９に記憶されたソフトウェアプログラムを実行する。また、ＣＰＵ５０８は、ＲＡＭ（Ｒａｎｄｏｍ  Ａｃｃｅｓｓ  Ｍｅｍｏｒｙ）５１６を一時記憶装置として使用する。図２に示したプロセスは、ＲＯＭ５０９または他のコンピュータによって読取り可能な記憶媒体に記憶することができ、ＣＰＵ５０８の指示によって読み出される。
【００２３】
データを電力線Ｌ１からＬ２へ転送することが必要な場合、ＭＡＣ５０６の出力が内部バス５０７を介してＭＡＣ５１５に送信される。もし後述するタイミングの是正を実行するためにデータのバッファリングが求められた場合は、ＣＰＵ５０８はデータを一時的にＲＡＭ５１６に保存する。または、代わりにＭＡＣ５０６またはＭＡＣ５１５の内部メモリ（図示はしていない。）に保存してもよい。
【００２４】
通常、ローカル通信かグローバル通信かによらず、送信電力は連邦の規定（例えばＦＣＣ）で決められている。グローバル通信が行われている間、実質的な帯域幅は高周波信号の減衰によって減少する。本発明に係る電力線通信用ブリッジは、殆どの例において、帯域幅の減少を防いでいる。
【００２５】
今回の検討の範囲において、要素５０２、５０３、５０４、５０５、５０６、５０７、５０８、５０９及び５１６は、カプラ５１０を通して電力線回路Ｌ２とデータを送受信するデータ送受信装置を構成し、一体となって動作する。ＲＯＭ５０９とＲＡＭ５１６を利用するプロセッサ（ＣＰＵ）５０８及び内部バス５０７は、２つのデータ送受信装置間を内部バス５０７を介して行き来するデータと共に、ＣＰＵ５０８上で実行されるプログラムの管理下で動作する２つのデータ送受信装置の間で共有される。それ故、ＣＰＵ５０８は、２つ（またはそれ以上）の送受信装置にとってコントローラの役割を果たすこととなる。
【００２６】
従って、ある実施形態における電力線通信用ブリッジ回路は、第一の電力線回路をつないでデータ信号をやり取りするための第一のカプラと、第二の電力線回路をつないでデータ信号をやり取りするための第二のカプラを有している。第一、第二の電力線回路は配電変圧器の別々の端子から交流電力の供給を受け、１本の中性線接続を共有する（または、複数の配電変圧器より電力の供給を受ける場合もある）。第一の送受信装置は、第一のカプラとのデータ信号のやり取りのために第一のカプラに接続される。第二の送受信装置は、第二のカプラとのデータ信号のやり取りのために第二のカプラに接続される。コントローラは、第一の送受信装置からのデータ信号を分析し、前記データ信号が第二の送受信装置に送られるべきものかどうかを判定する。ここで第二の送受信装置に送られるべきでないと判定されるデータは、ローカルデータと見なされる。さらに、コントローラは、第二の送受信装置からのデータ信号を分析し、前記データ信号が第一の送受信装置に送られるべきかどうかを判定する。ここで第一の送受信装置に送られるべきものでないと判定されるデータも、ローカルデータと見なされる。ブリッジ回路は、データがローカルでないと判定された場合には第一の送受信装置と第二の送受信装置の間でデータ信号を通過させ、データがローカルであると判定された場合には第一の送受信装置と第二の送受信装置の間でデータ信号を遮断する。
【００２７】
前述した通り、本発明に係るブリッジは、２つを超える数の電力線を制御してもよい。その場合、コンポーネント５０１〜５０６のセットが各電力線に実装される。ＣＰＵ５０８は、複合的な伝送情報を内部バス５０７を介して制御することになる。内部バス５０７は、個別の適用例に応じて考慮される最大の伝送情報量を扱うことのできる十分な帯域幅を有するべきである。
【００２８】
通常、電力線ネットワーク上には、アクセス制御を実行するためのマスタが存在する。マスタはクライアント（スレーブ）からアクセス要求を受けると、アクセス用のタイム（または周波数）スロットをクライアントに付与する。その後、クライアントは伝送を始める。マスタは、ビーコンを一定時間おきにブロードキャストする。すべての伝送は、ビーコンサイクルに基づいて行われる。伝送要求があったときに競合が無ければ、各ビーコンサイクルの中の同一のアクセススロットがその伝送用に割り当てられる。伝送要求があったときに競合があれば、到着順方式（ｆｉｒｓｔ−ｃｏｍｅ−ｆｉｒｓｔ−ｓｅｒｖｅ  ｂａｓｉｓ）、または他の制御方式を用いてアクセススロットが割り当てられる。電力線Ｌ１とＬ２がそれぞれ独自のマスタを有すると仮定する。図７は、ブリッジ７によるアクセススロット管理の様子を表している（図１も参照すること。）。電力線Ｌ１のマスタはビーコン信号６０１と６０２を発信する。電力線Ｌ２のマスタはビーコン信号６０３と６０４を発信する。Ｌ１とＬ２のビーコンは、図７においては同期していない。Ｌ１上のスロット６１１はローカル伝送に用いられる。同様に、Ｌ２上のスロット６１３と６１４はローカル伝送に用いられる。スロット６１２ａは、Ｌ１上の機器からＬ２上の機器に向けてのグローバル伝送である。ブリッジ７は、最終的な宛先（Ｌ２上の機器）へデータを送信するために、Ｌ２上の同一のスロット６１２ｂを割り当てる。この場合、スロット６１２ａとスロット６１２ｂの間には、データを転送するための僅かな遅延が生じる。また、Ｌ２上では、常に同じタイムスロットが利用可能というわけではない。Ｌ１上のある送信機は、スロット６１０ａを用いてデータを送信する。不運なことに、Ｌ２上の同一のタイムスロットである６１３は、既に別のローカル伝送に占用されているが、この場合、ブリッジ７は別のスロット６１０ｂを発見し、それによりデータをＬ２上の宛先に向けて転送される。これらの処理は、図２のブロック４６に書かれたプロセスに対応する。
【００２９】
ブリッジ７は、マスタ機能を有してもよい。この場合、Ｌ１上、またはＬ２上に別のマスタは存在しなくてよい。全ての機器は、アクセス要求をブリッジ７に送信することになる。図３は、この場合のアクセススロット管理の様子を描いている。ブリッジは、ビーコンを一定時間おきにＬ１とＬ２の両方に送信する（ビーコン１０１及び１０２）。スロット１１０及び１１２は、グローバル伝送用である。スロット１１１及び１１３は、ローカル伝送用である。これにより、グローバル伝送とローカル伝送が互いに競合しなくなるため、ブリッジ７はアクセススロットを割り当てることが可能となる。よって、ブリッジ７がネットワーク上のマスタ機能を有する例では、所定の有利な効果を得られるのである。
この実施形態において、プログラム管理下で動作するＣＰＵは、ブリッジ７をマスタとして構成することができる。この場合、ＣＰＵは、ビーコン信号を第一及び第二の電力線回路に伝送するビーコン生成器として機能する。
【００３０】
電力線Ｌ１とＬ２の間で周波数が同じであることが原因で干渉の問題が生じ得るが、その問題に対する解決策が存在する。１つは送信電力管理である。この場合、各機器は、ＡＦＥ５０２においてオートゲイン制御機能を有することになる。送信機は、送信電力のレベルを最小化（最適化）することができる。これにより、他の電力線への干渉を低減することになる。別の解決策は、干渉を生じる問題の周波数を避けることである。ＯＦＤＭ（直交周波数分割多重）が電力線通信システムにおいて利用できる。ＯＦＤＭは、１００以上のサブキャリアを用いる。サブキャリアのいくつかは相当な干渉を引き起こすものの、いくつかは干渉を引き起こさない。どの周波数が干渉を引き起こすかは、主に電力線のレイアウトに依存する。送信機と受信機はしばしばトーンマップ（ｔｏｎｅ  ｍａｐ）を交換する。トーンマップには、どのサブキャリアを使用できるかが、Ｓ／Ｎ比（ｓｉｇｎａｌ−ｔｏ−ｎｏｉｓｅ  ｒａｔｉｏ：ＳＮＲ）の測定に基づき示される。トーンマップに基づき、送信機は、サブキャリアと変調方式を選択する。Ｓ／Ｎ比の低いサブキャリアは除かれるか、そのサブキャリアに対して信頼性の高い変調方式（例えばＢＰＳＫ（２位相偏移変調））が用いられる。このトーンマップのメカニズムは、問題のあるサブキャリアを回避するのである。
【００３１】
図８において、相互位相信号を電力線Ｌ１からＬ２（またはその逆）に向けて通過させ得る２つの付加的な経路（配電変圧器を通る経路を除く）が、点線矢印で記述されている。前述した通り、１つの経路はブレーカボード５である。加えて、２４０Ｖの電化製品１３においても、信号を電力線Ｌ１からＬ２へ通過させることができる。第三の経路は配電変圧器１を通る経路であるが、通常は変圧器１は遠く、他の経路に比べて信号の減衰が遥かに大きい。２４０Ｖの電化製品は、例えばＬ１とＬ２の両方に接続された洗濯乾燥機である。二つの回路であるＬ１とＬ２の間の干渉を最小化するために、電力線通信ネットワークに関係する周波数を、Ｌ１からＬ２への全ての経路において遮断することが望ましい。
【００３２】
図１に示した通り、配電変圧器及びブレーカボードを経由する経路は、低域通過フィルタ６によって遮断される。２４０Ｖの電化製品の経路は、図９に示した通り、低域通過フィルタ（ＬＰＦ）８０１によって遮断することができる。フィルタ８０１は、例えば電力線と２４０Ｖの電化製品の間に挿入するＡＣプラグアダプタなどにより実現できる。フィルタ８０１は、全ての電力線通信信号を遮断し、Ｌ１とＬ２を隔離するよう設計される。交流電圧２４０Ｖの信号は非常に低い周波数（米国においては６０Ｈｚ）を持ち、電力線通信信号は一般的にそれと比べて高い周波数（例えばメガヘルツの領域）を持つため、適度なフィルタを設計することは、従来のアナログフィルタ設計の分野において容易であり、ここで典型的なフィルタの回路設計例を提示する必要は無い。その設計内容は、Ｌ１と地面またはＬ２と地面の間に配置する、電力線通信の周波数に対しては小さく、電力の周波数に対しては大きいリアクタンスを持つバイパスのコンデンサのような単純なものである。本発明について開示した点に基づき、当業者が検討を進めれば、他の実施形態を想到し得るであろう。
【００３３】
これまでに簡潔に述べた通り、異なる配電変圧器から電力を供給される２つの電力線セットの間のブリッジは、無線技術を用いて行ってもよい。図１０は、図４に示したブリッジシステムと同様の機能を、無線を用いる形で実現している。ブリッジＡ９０１とブリッジｂ９０２は、上部の回路２００及び下部の回路３００の間で無線通信を行うことによる無線ブリッジ機能を備えている。この応用例は、２つの電力線システム２００及び３００が有線のブリッジで容易に接続できるほど物理的に近くない場合に、特に有効である。
【００３４】
図１１は、ブリッジ９０１または９０２の典型的なブロック図を表している。無線インタフェースを除き、このブリッジは図６とほぼ同等の動作をする。この実施形態では、元の図６のブロック図に対して、ＭＡＣブロック１００１、物理層のブロック１００２、アナログ先端部（ＲＦ送受信装置）のブロック１００３及びアンテナ１００４が追加されている。二つの電力線システム２００と３００の間の通信は、図中の無線インタフェースを用いて行われる。無線通信は、例えば、ＩＥＥＥ８０２．１１による無線ネットワークにより行うことができる。例えば、機器２０８が伝送情報を機器３０９に送信するとする。伝送情報はまず、ブリッジＡ９０１に送られる。ブリッジＡ９０１では、信号はブロック５０１〜５０６によって処理され、無線通信のために無線ブロック１００４に転送される。ブリッジＢ９０２では、アンテナ１００４によってその信号を受信し、ブロック１００２及び１００１で処理した後、ブロック５１５〜５１０に転送する。最終的に、その信号は電力線Ｌ２上の機器３０９に送信される。回路２００の電力線Ｌ２と回路３００の電力線Ｌ１がこの通信から完全に隔離されていることに着目すると、帯域幅は全く失われていない。
【００３５】
電力線通信回路は、本質的に電力系システムにおいて扱われるため、感電を引き起こす可能性がある。そのため、免許を与えられた電気技師が、ブレーカボードの内部の、またはブレーカボードにつなげられたブリッジ７と低域回路フィルタ６を取り付けることが好ましい。
【００３６】
本発明に係るある実施形態によれば、以下のような所定の有利な効果を得ることができる。即ち、Ｌ１とＬ２が隔離される。これにより、両方のバスが効率的に使用され、帯域幅が、最適な場合で２倍に達する。低域通過フィルタは、家庭内の電力線を外部から隔離する。帯域幅全体が利用可能となる。フィルタは、さらに外部への干渉を低減する。グローバル通信のために高い送信電力が要求されることがなくなる。帯域幅がグローバル通信のために狭められない。干渉を最小化できる。ブリッジは、グローバル通信を中継する。重大な減衰が発生しない。ブリッジは、効率的にアクセススロットを各送信機に割り当てることができ、それによりグローバル通信が他のローカル通信と衝突することが無くなる。ブリッジは、電力線通信へのアクセスに用いることができる。ブリッジは、２つまたはそれ以上の独立した電力線の連結に用いることができる。本発明のある実施形態により、これらの、または他の有利な効果を得ることができる一方、いずれかの有利な効果が得られないことがあったとしても、それは、ある実施形態が本発明に係る他の実施形態の範囲から外れることを示唆するものではない。
【００３７】
ここまで開示した点に基づき、当業者が検討を進めれば、以上の典型的な実施形態は、ＣＰＵ５０８のようなプログラムドプロセッサ（ｐｒｏｇｒａｍｍｅｄ  ｐｒｏｃｅｓｓｏｒ）の使用により成り立っていることに気付くであろう。しかしながら、本発明は、特別な目的を持つハードウェアや専用プロセッサなどの同等のハードウェアコンポーネントを用いることで、他の実施形態として実現できるものであるため、前述の典型的な実施形態に限定されるものではない。同様に、汎用コンピュータ、マイクロプロセッサによるコンピュータ、マイクロコントローラ、光コンピュータ、アナログコンピュータ、専用プロセッサ、特定用途向け回路または専用配線ロジックは、代替としての均等な実施形態を構築するために用い得るものである。
【００３８】
ここまで開示した点に基づき、当業者が検討を進めれば、プログラムのオペレーション、プロセス及び前述の実施形態を実装するために関連付けられたデータは、ディスク記憶装置はもとより、例えばＲＯＭ機器、ＲＡＭ機器、ネットワークメモリ機器、光記憶素子、磁気記憶素子、光磁気記憶素子、フラッシュメモリ、コアメモリまたは同等の揮発性または非揮発性記憶技術といった記憶の形態により、本発明の実施形態から外れることなく実現できることを、当業者は理解するであろう。そういった代替としての記憶装置は、均等なものとして見なされるべきである。
【００３９】
ここに記述したある実施形態は、前記のフローチャート形式にて広く記述したプログラム命令を実行するプログラムドプロセッサを用いて実装でき、そのプログラム命令は、何らかの適当な電気的記憶媒体、またはコンピュータにより読取り可能な記憶媒体に保存され、または適当な電気通信媒体によって伝送されることができる。しかしながら、ここまで開示した点に基づき当業者が検討を進めれば、前述のプロセスは、変更される箇所の数によらず、多くの適当なプログラミング言語を用いて、本発明の実施形態から外れることなく実装できることを理解するであろう。例えば、本発明の実施形態から外れることなく、特定のオペレーションの順序はしばしば変更でき、付加的なオペレーションを追加することもでき、またオペレーションを削除することもできる。本発明の実施形態から外れることなく、エラー補足機能を追加し、または強化することができ、またユーザインタフェースや情報の表示の仕方を変えることも可能である。こうした変更は、均等なものとして予期され、かつ見なされるものである。
【００４０】
ここまである実施形態について所定の機能を実現する具体的な回路網と関連付けて説明してきたが、他の実施形態として、１つまたはそれ以上のプログラムドプロセッサ上で実行される均等なソフトウェアまたはファームウェアを用いて回路機能を実現する実施形態が予期される。汎用コンピュータ、マイクロプロセッサによるコンピュータ、マイクロコントローラ、光コンピュータ、アナログコンピュータ、専用プロセッサ、特定用途向け回路または専用配線ロジック、若しくはアナログ回路網は、代替としての均等な実施形態を構築するために用い得るものである。また、特別な目的を持つハードウェアや専用プロセッサなどの同等のハードウェアコンポーネントを用いることで、他の実施形態として実現することもできる。
【００４１】
ここまで発明の具体例について述べてきた一方で、当業者にとっては多くの代案、改良、置換及び変更が自明なものであることが、前述の説明から明白である。
【図面の簡単な説明】
【００４２】
【図１】本発明に係るある実施形態の電力線ネットワークに関する図である。
【図２】本発明に係るある実施形態のブリッジの作用を描いたフローチャートである。
【図３】本発明に係るある実施形態の方法による、マスタとしてのブリッジ管理の典型的枠組みに関する図である。
【図４】本発明に係るある実施形態のもう１つの電力線ネットワークに関する図である。
【図５】本発明に係るある実施形態の電力線ネットワークによるアクセス線に関する図である。
【図６】本発明に係るある実施形態の電力線ブリッジに関する図である。
【図７】本発明に係るある実施形態の方法による、アクセス管理の典型的枠組みに関する図である。
【図８】Ｌ１とＬ２の間の潜在的な位相間の経路を図示している。
【図９】本発明に係るある実施形態の位相間を遮断するフィルタを図示している。
【図１０】本発明に係るある実施形態の無線ブリッジの配置を示している。
【図１１】本発明に係るある実施形態の、無線による電力線ブリッジの典型例に関するブロック図である。
【図１】
2008529355.tif 000003
【図２】
2008529355.tif 000004
【図３】
2008529355.tif 000005
【図４】
2008529355.tif 000006
【図５】
2008529355.tif 000007
【図６】
2008529355.tif 000008
【図７】
2008529355.tif 000009
【図８】
2008529355.tif 000010
【図９】
2008529355.tif 000011
【図１０】
2008529355.tif 000012
【図１１】
2008529355.tif 000013
【国際調査報告】
2008529355.tif 000014